(57)【要約】【課題】  最適な軽さを得、従来技術の欠点を解消する２つの組付け構造体よりなるホイールリムを提供する。【解決手段】  ホイールリムの半径方向外側幾何形状は、外側および内側リムシートを備えており、タイヤトレッド支持リングを受けるように支持面が本質的に回転円筒体として形成されている。このリムの半径方向内側幾何形状は、取付け溝とホイールディスクへの連結帯域との間で増大しておらず、このホイールリムは、前記リムの半径方向内側幾何形状と、半径方向外側幾何形状の一部とを構成する第１金属構造体と、半径方向外側に前記支持面を構成するように設計された第２構造体とを組付けることによって構成されている。このホイールリムは、第２構造体が、少なくとも１つの本質的に軸方向の開口部を備えていて、前記第１金属構造体の半径方向外壁部と接触する環状支持要素よりなることを特徴としている。
2005537169.tif 000002
【特許請求の範囲】
【請求項１】
半径方向外側幾何形状が外側リムシート（２）および内側リムシート（２′）を備えているホイールリム（１）であって、少なくとも外側リムシートは、軸方向内端部が位置する円の直径より小さい直径の円に軸方向外端部が位置している母線を有しており、前記外側リムシートは、高さの低い突起（３）またはハンプにより軸方向外方に、またフランジ（４）により軸方向内方に延長されており、タイヤトレッド支持リングを受けるように設計された回転円筒体として支持面（６）が形成されており、前記リムの半径方向内側幾何形状が、前記内側シート（２′）とホイールディスク（８）への連結帯域との間で増大していない直径を有しており、
前記リムの半径方向内側幾何形状と、半径方向外側幾何形状の一部とを構成する第１金属構造体（１０、３０、５０、７０、８０、９０、１１０、１３０）と、
半径方向外側に前記支持面（６）を構成するように設計された第２構造体（１４０）と、を組付けることによって構成されるホイールリム（１）において、
前記第２構造体（１４０）はその母線のうちの１つに沿って開口している円筒形部品よりなることを特徴とするホイールリム（１）。
【請求項２】
前記第２構造体（１４０）の開口部のリップは軸方向に対して斜めに傾斜されている請求項１に記載のホイールリム。
【請求項３】
半径方向外側幾何形状が外側リムシート（２）および内側リムシート（２′）を備えているホイールリム（１）であって、少なくとも外側リムシートは、軸方向外端部が、軸方向内端部が位置する円の直径より小さい直径の円に位置している母線を有しており、前記外側リムシートは、高さの低い突起（３）またはハンプにより軸方向外方に、またフランジ（４）により軸方向内方に延長されており、タイヤトレッド支持リングを受けるように設計された回転円筒体として支持面（６）が形成されており、前記リムの半径方向内側幾何形状が、前記内側シート（２′）とホイールディスク（８）への連結帯域との間で増大していない直径を有しており、
前記リムの半径方向内側幾何形状と、半径方向外側幾何形状の一部とを構成する第１金属構造体（１０、３０、５０、７０、８０、９０、１１０）と、
半径方向外側に前記支持面（６）を構成するように設計された第２構造体（２０、４０、６０、７５、８５、９５、１２０）と、を組付けることによって構成されるホイールリム（１）において、
前記第２構造体は前記第１金属構造体の半径方向外壁部と接触する少なくとも２つの支持要素よりなることを特徴とするホイールリム（１）。
【請求項４】
内側の側壁部（５′′）および外側の側壁部（５′）を有する取付け溝（５）を備えており、前記第１金属構造体（１０、３０、７０、８０）の半径方向内壁部は、前記取付け溝（５）の外側の側壁部（５′）に対して半径方向外側に、本質的に回転円筒体（１２、３３）として形成された帯域を備えており、この帯域は前記取付け溝（５）の外側の側壁部（５′）から前記支持面（６）の外端部まで軸方向に延びている、請求項１ないし３のいずれか１項に記載のホイールリム。
【請求項５】
第２構造体（２０）は、半径方向内壁部が本質的に回転円筒体として形成されている実質的に一定の厚さの環状構造体であり、この半径方向内壁部の全体は、支持面（６）と反対の側で第１金属構造体（１０）の半径方向外壁部と接触している、請求項４に記載のホイールリム。
【請求項６】
第１金属構造体（５０、９０、１１０）は前記内側シート（２′）と、軸方向直径が連続的に減じているディスク連結帯域（８）との間に壁部を有している、請求項１ないし３のいずれか１項に記載のホイールリム。
【請求項７】
第２構造体（４０、６０、８５、９５）は、前記支持面（６）から半径方向内方に延びていて、前記第２構造体を前記第１金属構造体（３０、５０、８０、９０）の半径方向外壁部に支持するのに役立つ少なくとも２つの周方向フィン（４１、４２、６１ないし６４、８９、８９′、９６ないし１００）を備えている、請求項１ないし４および６のいずれか１項に記載のホイールリム。
【請求項８】
第２構造体（２０、４０、７５、８５、９５）の軸方向内端部は前記取付け溝（５）の外側の側壁部（５′′）を構成している、請求項１ないし６のいずれか１項に記載のホイールリム。
【請求項９】
本質的に前記第１構造体（３０）の回転円筒体として形成された前記帯域は、前記支持面（６）の高さのところでは、取付け溝（５）の外端部（５′′）の高さのところに段部（３１）が位置決めされて、よい小さい直径を有しており、この段部（３１）は軸方向内側で第２構造体の軸方向内端部を阻止するように設計されている、請求項４または８に記載のホイールリム。
【請求項１０】
前記第２構造体（４０、７５、８５）は、前記支持面（６）を軸方向外方に延長する本質的に回転円筒体（４３−４４、７６−７７、８６、８８）として形成された帯域を備えており、前記回転円筒体は、前記第２構造体を支持してこれを軸方向外側に係止するために第１金属構造体（３０、７０、８０）の外側シートのフランジの内側の側壁部と協働するように設計されている、請求項１ないし９のいずれか１項に記載のホイールリム。
【請求項１１】
前記外側シートの前記フランジは内側の側壁部を有しており、前記第２構造体（４０、７５、１２０）は、阻止手段により、一方では、前記第１金属構造体（３０、７０、１１０）の前記外側シートのフランジ（４）の前記内側の側壁部（７′′）と、他方では、前記第２構造体の本質的に周方向のフィン（４５、７８、１２１）と接触状態で軸方向に係止されている、請求項１０に記載のホイールリム。
【請求項１２】
前記阻止手段はねじ／円錐体装置（１２５）よりなる、請求項１１に記載のホイールリム。
【請求項１３】
第２構造体の回転帯域の補足円筒体の外壁部は外側シートに隣接したフランジの外径より小さい直径の帯域（４３、７６、８６）を備えている、請求項１０ないし１２のいずれか１項に記載のホイールリム。
【請求項１４】
前記第２構造体はクリップ、溶接部、接着剤および機械的固定手段よりなる群から選択された手段により前記第１構造体のまわりに固定されている、請求項１ないし１３のいずれか１項に記載のホイールリム。
【請求項１５】
前記支持面（６）は前記支持リングを軸方向に係止するように設計された周方向の溝（６′′）を備えている、請求項１ないし３のいずれか１項に記載のホイールリム。
【請求項１６】
前記第１金属構造体（１０、７０、８０）は、前記第２構造体を軸方向に係止するように設計された前記第２構造体（２０、７５、８５）の前記円筒形回転帯域のものに対応する周方向の溝を備えている、請求項１５ないし６のいずれか１項に記載のホイールリム。
【請求項１７】
少なくとも２つのリップの組付けのより請求項１ないし１４のいずれか１項に記載の第２構造体を構成するように設計された組付け手段を備えている支持要素。
【請求項１８】
前記第２構造体は２つまたは３つの支持要素の組立体により形成されている、請求項１７に記載の支持要素。
【請求項１９】
前記組付け手段はクリップ、雄／雌装置、接着剤、溶接部、またはねじおよびナットよりなる群から選択される、請求項１７または１５に記載の支持要素。
【請求項２０】
支持要素を構成する材料は、強化されようがされまいがいずれにせよ、熱硬化性樹脂、強化されようがされまいがいずれにせよ、熱可塑性樹脂、および金属材料よりなる群から選択される、請求項１７ないし１９のいずれか１項に記載の支持要素。
【発明の詳細な説明】
【技術分野】
【０００１】
本発明は、タイヤ用のディスクおよびリムよりなり、タイヤ用の支持リングおよびトレッドと共に、膨らまし圧力が公称使用圧力としてしられている正常の利用圧力と比較して異常に低い（実際の圧力はゼロであることもある）ときの転動の場合に有用であることができる転動組立体を構成することができるホイールに関する。
【背景技術】
【０００２】
特許文献１は、図６の実施形態において、半径方向外側幾何形状が外側リムシートおよび内側リムシートを備えているホイールリムを述べており、少なくとも外側リムシートは、軸方向外端部が、軸方向内端部が位置する円の直径より小さい直径の円に位置している母線を有しており、前記外側リムシートは、高さの低い突起またはハンプにより軸方向外方に、またフランジにより軸方向内方に延長されている。このホイールリムは、また、リムの外側から内側に向けて軸方向に摺動させることによって位置決めされるトレッド支持リングを受けるように設計された本質的に回転円筒体として形成された支持面と、外側および内側の側壁部を有している取付け溝を備えており、半径方向内側幾何形状が、前記取付け溝とホイールディスクへの連結帯域との間で増大しない直径を有している。このホイールリムは、前記リムの半径方向内側幾何形状と、半径方向外側幾何形状の一部とを構成する第１金属構造体と、半径方向外側に前記支持面を構成するように設計された第２構造体とを組付けることによって作成されている。このリムは、前記第２構造体が外側シートの内側フランジおよび取付け溝の外側の側壁部に半径方向外方に位置している回転円筒体として形成された金属カラーであるようになっている。
【０００３】
特許文献１により述べられているホイールリムは、半径方向内側では、使用中、種々の物が蓄積する帯域を有していないと言う利点を有している。他方、第２構造体を構成する金属カラーは、これをリムの軸方向外側から軸方向内側に向けて取付け、次いで溶接することにより第１構造体のまわりの適所に設置されなければならない。これは、その幾何形状および実用性を大いに限定してしまう。
以後、「リムの軸方向外側」はリムが意図される車両の外側から見えるようになっている側Ｅを意味するものと理解され、「リムの軸方向内側」は車両の内側に面するようになっている側Ｉを意味している(図１参照)。
【０００４】
【特許文献１】ＷＯ００／０５０８３
【特許文献２】ＷＯ０１／０８９０５Ａ１
【発明の開示】
【発明が解決しようとする課題】
【０００５】
本発明の目的は、最適な軽さを得、前記欠点を解消することにある。
【課題を解決するための手段】
【０００６】
上記の目的を達成するために、本発明によるホイールリムは、このリムの半径方向外側幾何形状は外側および内側リムシートを備えており、少なくとも外側リムシートは、軸方向内端部が位置する円の直径より小さい直径の円に軸方向外端部が位置している母線を有しており、前記外側リムシートは、高さの低い突起またはハンプにより軸方向外方に、またフランジにより軸方向内方に延長されており、また、このリムは、タイヤトレッド支持リングを受けるように設計された本質的に回転円筒体である支持面を備えており、このリムの半径方向内側幾何形状は、前記内側シートとホイールディスクへの連結帯域との間で増大していない直径を有している。このホイールリムは、
前記リムの半径方向内側幾何形状と、半径方向外側幾何形状の一部とを構成する第１金属構造体と、
半径方向外側に前記支持面を構成するように設計された第２構造体と、を組付けることによって構成されている。
このホイールリムは、第２構造体が、円筒形であって、その母線のうちの１つに沿って開口している構成部品よりなることを特徴としている。
【０００７】
この構成部品は、これを製造する材料の弾性限度を超えることなしに、その細長さおよび可撓性により第１構造体のまわりに容易に組付けられることができ、次いで、この部品は第１構造体の半径方向外壁部に静止する。トレッド支持リングが一旦位置決めされたら、第２構造体は好ましくは適所に安定に保持される。
好ましくは、割りリングの形態のこの第２構造体の開口部のリップは、第２構造体を第１構造体のまわりに螺旋形に取付け得るために軸方向に対して斜めに傾斜されている。
【０００８】
本発明の更なる対象は、前記第２構造体が、前記第１金属構造体の半径方向外壁部と接触状態にある少なくとも２つの支持要素の周方向組立体よりなることを特徴とする同様なホイールリムである。
かくして、第２構造体は第１構造体のまわりに直接組みつけられて、大きな設計自由度をもたらす。
【０００９】
好ましくは、第２構造体により構成される支持面は支持リングを軸方向に係止するように設計されている半径方向外側の周方向溝を備えている。この溝は、支持リングが限定された軸方向幅のものである場合、およびその軸方向外側部分が外側シートのフランジと接触していない場合に特に有用である。このような支持リング適合式ホイールリム組立体は特許文献２に述べられている。
好適な実施形態によれば、前記第１金属構造体の半径方向内壁部は、前記取付け溝の内側の側壁部に対して軸方向外側に、前記取付け溝の内側の側壁部から前記支持面の外端部まで軸方向に延びている本質的に回転円筒体である帯域を備えている。
【００１０】
有利には、その場合、前記第２構造体は、半径方向内壁部が本質的に回転円筒体であって、この半径方向内壁部全体が第１金属構造体の半径方向外壁部と接触しているほぼ一定の厚さの環状構造体である。
そして、第２構造体は、不強化またはほんの僅かに強化された熱可塑性プラスチックのような低密度の材料よりなることができる。何故なら、この材料が水平の地面上で転動中の使用時に受ける機械的応力が、この材料の金属構造体との非常に大きい接触面積により比較的低いからである。
また、前記第２構造体は、前記支持面の半径方向内側に延びていて、前記第１金属構造体の半径方向外壁部に対する支持体として役立つ少なくとも２つの周方向フィンを備えることができる。
第２構造体の材料は、好ましくは、かなり剛性であり、つまり、ガラス繊維で強化された熱可塑性プラスチック、または熱硬化性プラスチック、または鋼またはアルミニウムシートのような金属材料である。
前記第１金属構造体の半径方向外側幾何形状は、前記取付け溝の外側の側壁部を備えることができ、その場合、第２構造体は内側で前記側壁部により軸方向に阻止される。
変更例として、第２構造体の軸方向内端部は前記取付け溝の外側の側壁部を構成することもできる。
【００１１】
他の実施形態では、本質的に回転円筒体として形成された第１構造体の前記帯域は、前記支持面の高さのところでは、取付け溝の外端部の高さのところに段部が位置決めされて、より小さい直径を有しており、この段部は前記第２構造体の軸方向内端部を軸方向に係止するように設計されている。
この幾何形状は、リムの内側をより剛性にすると言う利点を有している。第２構造体の半径方向外壁部の直径がより小さい場合、第２構造体はより大きい周方向のフィンを有しており、従って、より剛性の材料を使用するのが望ましい。
第２構造体を第１構造体に軸方向に係止するために、第１構造体の壁部に周方向の溝を形成することができ、この溝は第２構造体の前記円筒形回転帯域のものに対応する。
【００１２】
第３実施形態によれば、第１金属構造体は、その取付け溝とホイールディスクへの連結帯域との間に、軸方向直径が連続的に減じている壁部を有している。
この幾何形状は第１金属構造体の質量および機械強度を最適にすると言う利点を有している。その場合、平らな地面上で転動しているときの使用中に受ける応力に対して数および剛性の点で適している周方向接触フィンを有する第２構造体を設計することが必要である。
第２構造体は、一方では、前記第１金属構造体の前記外側シートのフランジの前記内側の側壁部に、他方では、第２構造体の本質的に周方向のフィンに接触する阻止手段により軸方向に係止されることもできる。
これらの阻止手段は有利にはねじ／円錐体装置であることができる。
【００１３】
また、第２構造体は有利には、前記支持面を軸方向外方に延長する本質的に回転円筒体として形成された帯域を備えることができ、この回転円筒体は、前記第２構造体を支持し、軸方向外側に阻止するために前記第１金属構造体の外側フランジの内側の側壁部と協働するように設計されている。
この実施形態は、外側シートにおけるタイヤビードの保持を強化する外側シートの内側フランジを軸方向内方に延長すると言う利点を有している。
支持リングを位置決めし易くするために、第２構造体の補足円筒形回転帯域の外壁部が外側シートに隣接したフランジの外径より小さい直径の帯域を備えていることが望ましい。
この小さい直径の帯域は、第２構造体とリングの内壁部との間の摩擦を減じることによって支持面にリングを嵌合し易くする。
有利には、第２構造体は、クリップ、溶接部または接着剤よりなる群から選択された補足手段により前記第１構造体のまわりに固定されることができる。
【００１４】
本発明の更なる対象は、少なくとも２つの要素の組立体により第２構造体を構成するように設計されている組付け手段を備えている支持要素である。
好ましくは、支持要素は、前記第２構造体が２つまたは３つの支持要素を組付けることにより構成されるようなものである。
組付け手段はクリップ、雄／雌装置、接着剤、溶接部、またはねじよりなる群から選択されることができる。
支持要素を構成する材料は、強化されようがされまいがいずれにせよ、熱硬化性樹脂、強化されようがされまいがいずれにせよ、熱可塑性樹脂、および鋼またはアルミニウムシートのような金属材料よりなる群から選択されることができる。
【発明を実施するための最良の形態】
【００１５】
添付図面を参照して内容を制限することなしに本発明の幾つかの実施形態を説明する。
図１は本発明によるホイールリム１の第１例を示している。図示の例では、このリムは鋳造アルミニウム合金で製造されている。ホイールリムは２つのシート、すなわち、１つの外側シート２および１つの内側シート２′を備えている。外側シート２は、リムの外側で高さの低い突起またはハンプ３により延長されており、内側でフランジ４により延長されている。内側シート２′は、内側でハンプ３′により延長されており、外側でフランジ４′により延長されている。これらの２つのシートは通常のホイールリムのものとは反対に傾斜されている。また、リム１は外側側壁部５′′および内側側壁部５′を有する取付け溝５と、リムの外側Ｅから内側Ｉに向けての摺動により支持面６に位置決めされるトレッド支持リング(図示せず)を受けるように設計された支持面６とを備えている。従って、この作動が可能であるために、支持面６の直径がフランジ４の直径より大きいか或いはそれに等しくなければならないことは気づくべきである。支持面は、支持リングが一旦位置決めされたなら、これを軸方向に係止するために支持リングの内壁部に形成された適切な大きさの隆起部と協働するように設計された周方向の溝６′′を備えている。また、表面６の内端部には、補足係止突起６′′′が位置決めされている。また、ホイールリムは、ホイールの重量を減じるように設計された外側側壁部７′および内側側壁部７′′を持つ軽量化溝７を有している。この溝７はフランジ４と支持面６との間に周方向に延びている。リムの半径方向内側には、特に、ホイールディスク（図示せず）への連結帯域８が設けられている。このようなホイールリムは、特に、先に引用した特許文献１に述べられている。
【００１６】
ホイールリム１は第１金属構造体１０および第２構造体２０を組付けることによって作成される。第１構造体１０は、内側シート２′および外側シート２と、ハンプ３、３′と、フランジ４、４′と、軽量化溝と、取付け溝５の一部と、ホイールリム１の半径方向内側幾何形状すべてとを有している。第２構造体２０は、係止突起６′′′と、溝６′′と、表面６より大きい直径の帯域６′とを有する支持面６、並びに取付け溝５の外側側壁部５′′を備えている。
なお、第１および第２構造体は、第１構造体の本質的に垂直な側壁部１５と接触するリップ２１によってこの第２構造体を軸方向に係止するように表面６の外端部と協働する。軸方向係止は、第１構造体に溝６′′の反対側に形成された周方向の溝１４により完了される。取付け溝５と軽量化溝の内壁部７′との間、すなわち、取付け溝５と支持面６の半径方向反対側の帯域全体との間に位置決めされた第１表面の帯域１２は本質的に回転円筒体である。その結果、第２構造体の厚さは小さく、そして補強がほとんど或いは全く無い熱可塑性プラスチックのような低い剛性の複合材料で製造された支持要素から組立てられたリングよりなることができる。２つの表面、すなわち、第１構造体の半径方向外面１３および第２構造体の半径方向内面２２は全体的に接触しているので、平らな地面上での転動している使用時にこの第２構造体が受ける応力は強さが小さい。
【００１７】
金属構造体１０は種々の材料で種々の技術により製造されることができる。工業的量産のために本願に最良に適している材料はアルミニウムおよび鋼である。この金属構造体の輪郭は、特許文献１に提案されているホイールのものより製造が簡単である。詳細には、支持体の横方向当接部および支持体（クリップ）を係止するのに役立つ周方向溝は、第２構造体において一体化されることができる。第１構造体の半径方向内側の輪郭は、機械加工をほとんど或いは全く必要としておらず、いずれの保持帯域をも回避している。かくして、この第１金属構造体の製造は標準の輪郭を有するホイールのものに非常に似ている。従って、第１構造体のコストは、特許文献１に示されているものと同様な幾何形状を有するホイールより低いであろう。
第２構造体の支持要素は任意の種類の材料で製造されることができる。それにもかかわらず、支持要素は、有利には、補強されようがされまいがいずれにせよ、熱可塑性または熱硬化性の材料、またはアルミニウムから製造される。実際、これらの材料は強さ、密度、工業的実施性およびコストの良好な妥協をもたらす。選択された材料によっては、材料の熱機械特性および方法の拘束、形状の適合性が必要とされることがある。
【００１８】
図２は本発明による第１構造体３０と第２構造体４０との第２組立体を示している。
第１構造体３０は取付け溝５の外端部に段部３１を有するという点で先の組立体１０と異なっている。この段部３１は、支持面６と反対側に配置された円筒形回転帯域３３の直径が取付け溝５の直径より小さいことを意味している。従って、段部３１の高さのところの第１構造体の半径方向外面には、第２構造体４０用の軸方向阻止当接部として役立つ本質的に垂直な側壁部が設けられている。なお、軽量化溝７の無い壁部７′と円筒形回転帯域１２との間の連結部は垂直な側壁部１５を有していない。
段部３１により、第１構造体の半径方向外壁部１３と支持面６との間の距離が増大している。その結果、第２構造体は支持面６と壁部１３との間に半径方向に延びていて、第２構造体４０を支持するのに役立つ２つの周方向フィン４１、４２を有している。フィン４２は周方向溝６′′から延びている。フィン４１は段部３１により生じられている垂直な壁部と軸方向に接触している。また、第２構造体４０は、本質的に回転円筒体４３、４４として形成された延長部を有しており、この延長部は、支持面６からフランジ４まで軸方向外方に延びている。この延長部の部分４４は、フランジ４のタイヤビードのシート外れ防止機能に関与するためにフランジ４のものと本質的に同じ直径を有している。軽量化溝７の外側の側壁部７′′は、軸方向肩部３２により第２構造体を軸方向に固定するために延長部４３の外端部のフィン４５と協働する。延長部４３の軸方向内側部分は、好ましくは、嵌合中の摩擦力を低減することによって延長部４３に支持リングを嵌合し易くするために小さい直径を有している。
【００１９】
図３は本発明による第１構造体５０と第２構造体６０との第３組立体を示している。
第１構造体５０は、内側シート２′、より正確にはこの内側シートの外端部とホイールディスクへの連結帯域８との間の帯域５１の直径が連続的に減じているという点で先に構造体と異なっている。これにより、第１構造体をモールドから取出し易くすることにより、且つ機械加工手順の数を減らすことによって第１構造体の製造を容易にしている。なお、取付け溝５の外側の側壁部５′′はこの第１構造体の一部であり、この側壁部５′′はトレッド支持リングを軸方向に阻止する突起６′′を備えている。
第２構造体６０は、厚さが使用中に出会う応力に適している４つの周方向フィン６１、６２、６３、６４を介して帯域５１の半径方向外側の壁部と接触している本質的に円筒形の支持面６を備えている。フィン６１は第１構造体の側壁部に位置している。第１構造体５０のまわりにおける第２構造体６０の係止を完全にするために、フィン６３が第１構造体の帯域５１の外壁部に形成された係止溝５２に嵌め込まれている。第２構造体の周方向フィンの高さを考慮に入れて、第２構造体は好ましくは剛性の高い材料、例えば、剛性の熱硬化性材料またはガラス繊維で強化された熱可塑性プラスチックから製造されている。
【００２０】
図４は第１金属構造体７０と第２構造体７５との第４組立体を示している。第１金属構造体７０は図１の金属組立体１０と非常に類似している。第１金属構造体７０は、軽量化溝７の外側面が、フランジ４までの支持面６の第２構造体７５の延長部７６、７７の外側フィン７８用の支持体および当接部として役立つように溝７２および軸方向肩部７１が続いている半径方向側壁部７３を備えていると言う点でのみ異なっている。この延長部は図２に示す延長部４３、４４と同様である。この延長部は軸方向外側において軸方向肩部７１と接触するフィン７８で終わっている。また、フィン７８はリブ７９を備えており、このリブ７９は、第２構造体が第１構造体のまわりに嵌められると、前記リブ７９が溝７２に入り込んで第１構造体への第２構造体の保持を強化するように、溝７２に適合されている。
【００２１】
図５は、第１金属構造体８０および第２構造体８５を備えている本発明によるホイールリムの第５例を示している。第１金属構造体８０もまた図１の金属構造体１０と非常に類似している。この第１金属構造体８０は、軽量化溝７の外側の側壁部７′′が第２構造体８５の外側延長部８６の外端部８８を支持するように設計された軸方向肩部８１を備えていると言う点でのみ異なっている。肩部の半径方向厚さは、第２構造体が内側において同じ直径でフランジ４を延長しているような厚さである。この場合、第２構造体８５は金属シート、つまり、鋼またはアルミニウムで製造されている。外端部８８は肩部８１と接触し、軸方向内端部８７は取付け溝５の外側の側壁部５′′および支持リングの軸方向阻止突起６′′′を構成するように円形に湾曲されている。２つのフィン８９、８９′により、第２構造体８５の外径を支持面６に必要とされる直径に適合することができる。フィン８９は第２構造体の軸方向係止を完全にするために第１構造体に形成されたリブと協働するリブの形態である。
第２構造体の支持要素は、有利には、重量と工業的実施性との良好な妥協を得るようにアルミニウムシートで製造されている。
【００２２】
図６は第１金属構造体９０および第２構造体９５を備えている本発明によるホイールリムの第６例を示している。第１金属構造体９０は厚さが一定である金属シート、つまり、鋼またはアルミニウムよりなる。ホイールディスク(図示せず)を帯域９２の半径方向ない壁部に溶接しなければならないので、このホイールディスクは軽量化溝７の底部に対応する。取付け溝５とホイールディスクへのこの連結帯域９２との間には、第１段部９４と、支持面６の下の直径が本質的に一定に減じている帯域９１と、外方に向けられた段部９３とが軸方向に次々に設けられている。２つの周方向段部９４、９３の目的は、第２構造体９５が一旦第１構造体のまわりの適所に設置されたら、この第２構造体９５を軸方向に阻止することである。第２構造体９５は、支持面６と、帯域９１に対する５つの支持フィン９６、９７、９８、９９、１００とを備えている。フィン９６および１００の半径方向内端部はそれぞれ段部９４、９３の外壁部の形状に合うように且つ第２構造体を軸方向に阻止するようになっている。
【００２３】
図７は第２構造体２０の支持要素１０２を第１構造体１０に組付ける手段１０１の例を示す図１のホイールリムの拡大図を示している。
【００２４】
図８および図９は図７に示すようなホイールリムの周方向断面図ＡＡである。図８は第１構造体の位置１２のまわりに組付ける前の２つの支持要素１０２を示している。各支持要素は、この場合には、その要素の２つの端部に位置決めされた雄部分１０３および雌部分１０４よりなる組付け手段１０１を備えている。図９では、第２構造体は２つの支持要素１０２の組立体よりなる。雄部分１０３および雌部分１０４は互いに嵌込まれている。なお、これらのような組付け手段は、まわり全体に支持リングが存在することにより、使用中、低い引張応力が生じるために十分である。
もちろん、この場合には半周方向である支持要素は、周囲の３分１に寸法決めされることもできる。それ以外に、組付けを行なうにもっと長くかかることがわかった。
先の例によりすでに指摘したように、第２構造体は、クリップ留め、阻止当接部の存在、接着剤接合などのような種々の手段により第１構造体に位置決めされることができる。
【００２５】
図１０は金属構造体１１０のまわりに第２構造体１２０を固定するための第２原理を示している。この図では、金属構造体に第２構造体を固定する方法は円錐締め付けの原理を利用している。第２構造体１２０を構成する種々の支持要素を、一体の組立体を形成するように第１金属構造体のまわりで予め互いに組み付ける。次いで、第２構造体を１つまたはそれ以上のねじ１２５により表面１１１により形成された円錐体に押付けることができる。ねじ１２５は軽量化溝の外側の側壁部７′′に静止し、第２構造体１２０のフィン１２１を押す。この分野の当業者には、適切な装置１２５が周知である。かくして、或る程度のトルクをねじ１２５に加えると、第２構造体は第１金属構造体に係止される。この装置によれば、金属構造体と、第２構造体を構成する支持要素との異なる機械加工および／製造許容度に関係された種々の遊びを取ることができる。
【００２６】
図１１、図１２および図１３は本発明による第２構造体の他の実施形態の例の周方向断面を示しており、この実施形態では、第２構造体は円筒形であり、その母線のうちの１つに沿って開口している。かくして、第２構造体は開口リングの形態である。図示の周方向断面は図７におけるような断面ＡＡである。
この第２構造体はその細長い形態および可撓性により第１構造体のまわりに容易に配置されることができる。図１１は開放リングの形態の第２構造体１４０がまわりに位置決めされた第１構造体を示している。リング１４０の開口部の２つのリップ１４１、１４２はリング１４０を位置決めし得るように離れている。
【００２７】
図１２はトレッド支持リング９を第２構造体１４０のまわり全体に嵌合した後の同じホイールリムを示している。この時点でリップ１４１、１４２がリング９のたが嵌め作用により互いに押付けられることがわかる。
【００２８】
図１３は第２構造体１４０を第１構造体１３０に適所により容易に保持することができるように第２構造体１４０のリップ１４１、１４２を組付けるための手段の概略例を示している。この場合、これらの組付け手段は、第２構造体を適所にクリップ留めし得るためにほぞ穴およびほぞ１４２、１４３の形態である。
図示のような第１および第２構造体で構成された種々のホイールリムは、トレッド支持リングのために考慮された軸方向幅すべてに容易に適合されることができる支持面を有している。このような適切な支持リングの例が特許文献１に述べられている。
前述の実施形態は、単に非限定例として示したものであって、本発明の範囲を超えることなしにいずれの所望の方法でも変更することができる。
【図面の簡単な説明】
【００２９】
【図１】非常に簡単な第２構造体を備えている本発明による第１ホイールリムの概略的な半径方向横断面図である。
【図２】本発明によるホイールリムの第２変形例の図である。
【図３】本発明によるホイールリムの第３変形例の図である。
【図４】外側シートの内側フランジとの連結を有する第２構造体を備えた図１のものと同様なホイールリムの図である。
【図５】アルミニウムシートで製造された第２構造体を備えた本発明によるホイールの第５変形例の図である。
【図６】鋼シートで製造された第１金属構造体を備えた本発明によるホイールリムの変形例の図である。
【図７】第２構造体の組付け手段を有する図１の拡大を示す半径方向断面図である。
【図８】第１構造体のまわりに組付ける前の周方向断面で示される図７のホイールリムの図である。
【図９】組付け後の図８と同様な図である。
【図１０】第２構造体を第１構造体に係止するためのねじ円錐体装置を備えたホイールリムの図である。
【図１１】割りリングの形態の第２構造体を備えたホイールリムの断面図である。
【図１２】トレッド支持リングを取付けた後の図１１のホイールリムの図である。
【図１３】割りリングの形態の第２構造体用の組付け手段の例の図である。
【図１】
2005537169.tif 000003
【図２】
2005537169.tif 000004
【図３】
2005537169.tif 000005
【図４】
2005537169.tif 000006
【図５】
2005537169.tif 000007
【図６】
2005537169.tif 000008
【図７】
2005537169.tif 000009
【図８】
2005537169.tif 000010
【図９】
2005537169.tif 000011
【図１０】
2005537169.tif 000012
2005537169.tif 000013
【図１３】
2005537169.tif 000014
【手続補正書】
【提出日】平成17年2月1日(2005.2.1)
【手続補正１】
【補正対象書類名】特許請求の範囲
【補正対象項目名】全文
【補正方法】変更
【補正の内容】
【特許請求の範囲】
【請求項１】
半径方向外側幾何形状が外側リムシート（２）および内側リムシート（２′）を備えているホイールリム（１）であって、少なくとも外側リムシートは、軸方向内端部が位置する円の直径より小さい直径の円に軸方向外端部が位置している母線を有しており、前記外側リムシートは、高さの低い突起（３）またはハンプにより軸方向外方に、またフランジ（４）により軸方向内方に延長されており、タイヤトレッド支持リングを受けるように設計された回転円筒体として支持面（６）が形成されており、前記リムの半径方向内側幾何形状が、前記内側シート（２′）とホイールディスク（８）への連結帯域との間で増大していない直径を有しており、
前記リムの半径方向内側幾何形状と、半径方向外側幾何形状の一部とを構成する第１金属構造体（１０、３０、５０、７０、８０、９０、１１０、１３０）と、
半径方向外側に前記支持面（６）を構成するように設計された第２構造体（１４０）と、を組付けることによって構成されるホイールリム（１）において、
前記第２構造体（１４０）はその母線のうちの１つに沿って開口している円筒形部品よりなることを特徴とするホイールリム（１）。
【請求項２】
前記第２構造体（１４０）の開口部のリップは軸方向に対して斜めに傾斜されている請求項１に記載のホイールリム。
【請求項３】
半径方向外側幾何形状が外側リムシート（２）および内側リムシート（２′）を備えているホイールリム（１）であって、少なくとも外側リムシートは、軸方向外端部が、軸方向内端部が位置する円の直径より小さい直径の円に位置している母線を有しており、前記外側リムシートは、高さの低い突起（３）またはハンプにより軸方向外方に、またフランジ（４）により軸方向内方に延長されており、タイヤトレッド支持リングを受けるように設計された回転円筒体として支持面（６）が形成されており、前記リムの半径方向内側幾何形状が、前記内側シート（２′）とホイールディスク（８）への連結帯域との間で増大していない直径を有しており、
前記リムの半径方向内側幾何形状と、半径方向外側幾何形状の一部とを構成する第１金属構造体（１０、３０、５０、７０、８０、９０、１１０）と、
半径方向外側に前記支持面（６）を構成するように設計された第２構造体（２０、４０、６０、７５、８５、９５、１２０）と、を組付けることによって構成されるホイールリム（１）において、
前記第２構造体は前記第１金属構造体の半径方向外壁部と接触する少なくとも２つの支持要素よりなることを特徴とするホイールリム（１）。
【請求項４】
内側の側壁部（５′′）および外側の側壁部（５′）を有する取付け溝（５）を備えており、前記第１金属構造体（１０、３０、７０、８０）の半径方向内壁部は、前記取付け溝（５）の外側の側壁部（５′）に対して半径方向外側に、本質的に回転円筒体（１２、３３）として形成された帯域を備えており、この帯域は前記取付け溝（５）の外側の側壁部（５′）から前記支持面（６）の外端部まで軸方向に延びている、請求項１ないし３のいずれか１項に記載のホイールリム。
【請求項５】
第２構造体（２０）は、半径方向内壁部が本質的に回転円筒体として形成されている実質的に一定の厚さの環状構造体であり、この半径方向内壁部の全体は、支持面（６）と反対の側で第１金属構造体（１０）の半径方向外壁部と接触している、請求項４に記載のホイールリム。
【請求項６】
第１金属構造体（５０、９０、１１０）は前記内側シート（２′）と、軸方向直径が連続的に減じているディスク連結帯域（８）との間に壁部を有している、請求項１ないし３のいずれか１項に記載のホイールリム。
【請求項７】
第２構造体（４０、６０、８５、９５）は、前記支持面（６）から半径方向内方に延びていて、前記第２構造体を前記第１金属構造体（３０、５０、８０、９０）の半径方向外壁部に支持するのに役立つ少なくとも２つの周方向フィン（４１、４２、６１ないし６４、８９、８９′、９６ないし１００）を備えている、請求項１ないし４および６のいずれか１項に記載のホイールリム。
【請求項８】
第２構造体（２０、４０、７５、８５、９５）の軸方向内端部は前記取付け溝（５）の外側の側壁部（５′′）を構成している、請求項１ないし７のいずれか１項に記載のホイールリム。
【請求項９】
本質的に前記第１構造体（３０）の回転円筒体として形成された前記帯域は、前記支持面（６）の高さのところでは、取付け溝（５）の外端部（５′′）の高さのところに段部（３１）が位置決めされて、よい小さい直径を有しており、この段部（３１）は軸方向内側で第２構造体の軸方向内端部を阻止するように設計されている、請求項４または８に記載のホイールリム。
【請求項１０】
前記第２構造体（４０、７５、８５）は、前記支持面（６）を軸方向外方に延長する本質的に回転円筒体（４３−４４、７６−７７、８６、８８）として形成された帯域を備えており、前記回転円筒体は、前記第２構造体を支持してこれを軸方向外側に係止するために第１金属構造体（３０、７０、８０）の外側シートのフランジの内側の側壁部と協働するように設計されている、請求項１ないし９のいずれか１項に記載のホイールリム。
【請求項１１】
前記外側シートの前記フランジは内側の側壁部を有しており、前記第２構造体（４０、７５、１２０）は、阻止手段により、一方では、前記第１金属構造体（３０、７０、１１０）の前記外側シートのフランジ（４）の前記内側の側壁部（７′′）と、他方では、前記第２構造体の本質的に周方向のフィン（４５、７８、１２１）と接触状態で軸方向に係止されている、請求項１０に記載のホイールリム。
【請求項１２】
前記阻止手段はねじ／円錐体装置（１２５）よりなる、請求項１１に記載のホイールリム。
【請求項１３】
第２構造体の回転帯域の補足円筒体の外壁部は外側シートに隣接したフランジの外径より小さい直径の帯域（４３、７６、８６）を備えている、請求項１０ないし１２のいずれか１項に記載のホイールリム。
【請求項１４】
前記第２構造体はクリップ、溶接部、接着剤および機械的固定手段よりなる群から選択された手段により前記第１構造体のまわりに固定されている、請求項１ないし１３のいずれか１項に記載のホイールリム。
【請求項１５】
前記支持面（６）は前記支持リングを軸方向に係止するように設計された周方向の溝（６′′）を備えている、請求項１ないし１４のいずれか１項に記載のホイールリム。
【請求項１６】
前記第１金属構造体（１０、７０、８０）は、前記第２構造体を軸方向に係止するように設計された前記第２構造体（２０、７５、８５）の前記円筒形回転帯域のものに対応する周方向の溝を備えている、請求項１５に記載のホイールリム。
【請求項１７】
少なくとも２つのリップの組付けのより請求項１ないし１６のいずれか１項に記載の第２構造体を構成するように設計された組付け手段を備えている支持要素。
【請求項１８】
前記第２構造体は２つまたは３つの支持要素の組立体により形成されている、請求項１７または１８に記載の支持要素。
【請求項１９】
前記組付け手段はクリップ、雄／雌装置、接着剤、溶接部、またはねじおよびナットよりなる群から選択される、請求項１７または１８に記載の支持要素。
【請求項２０】
支持要素を構成する材料は、強化されようがされまいがいずれにせよ、熱硬化性樹脂、強化されようがされまいがいずれにせよ、熱可塑性樹脂、および金属材料よりなる群から選択される、請求項１７ないし１９のいずれか１項に記載の支持要素。
【手続補正２】
【補正対象書類名】図面
【補正対象項目名】図２
【補正方法】変更
【補正の内容】
【図２】
2005537169.tif 000015
【手続補正３】
【補正対象書類名】図面
【補正対象項目名】図５
【補正方法】変更
【補正の内容】
【図５】
2005537169.tif 000016
【手続補正４】
【補正対象書類名】図面
【補正対象項目名】図６
【補正方法】変更
【補正の内容】
【図６】
2005537169.tif 000017
【手続補正５】
【補正対象書類名】図面
【補正対象項目名】図７
【補正方法】変更
【補正の内容】
【図７】
2005537169.tif 000018
【国際調査報告】
2005537169.tif 000019
2005537169.tif 000020
2005537169.tif 000021
2005537169.tif 000022